(57)【要約】【課題】組立の際に保持器をかしめる必要がなく、かつ、外輪を外した場合において、保持器およびころが、内輪から離脱することがなく、かつ、保持器の挙動を安定させることができて、ころのスキューを抑制できるころ軸受装置を提供すること。【解決手段】円錐ころ４の転動面である外周円錐面の大径側に位置する保持器３の大径環状部２２の円筒内周面２７と、内輪２の外周円錐軌道面１２の大径側に位置する鍔部１４の円筒状の外周面１５との間に、玉軸受６を配置する。上記円筒内周面２７に玉軸受６の外輪３１を締まり嵌めすると共に、上記円筒状の外周面１５に玉軸受６の内輪３２を締まり嵌めする。【選択図】図１
2009191894.tif 000002
【特許請求の範囲】
【請求項１】
軌道面およびその軌道面の軸方向の一方の側のみに鍔部を有する内輪と、
軌道面を有する外輪と、
上記内輪の上記軌道面と、上記外輪の上記軌道面との間に配置された複数のころと、
上記複数のころを保持していると共に、上記軸方向において上記内輪の上記軌道面の片側に環状部を有する保持器と、
上記保持器の上記環状部の内周面と、上記内輪の外周面の部分との間に配置された転がり軸受と
を備えることを特徴とするころ軸受装置。
【発明の詳細な説明】
【技術分野】
【０００１】
本発明は、外輪、内輪およびころを備えるころ軸受装置に関する。
【背景技術】
【０００２】
従来、ころ軸受装置としては、特開２００１−５０２８１号公報（特許文献１）に記載された円錐ころ軸受がある。
【０００３】
この円錐ころ軸受は、外輪、内輪、複数の円錐ころおよび保持器を備え、上記内輪は、その内輪の円錐軌道面の大径側に大鍔を有し、その内輪の円錐軌道面の小径側に小鍔を有している。
【０００４】
上記保持器は、小径環状部と、この小径環状部よりの大径の大径環状部と、小径環状部と大径環状部とを連結する複数の柱部とからなる。上記小径環状部は、径方向の内方に屈曲し、小径環状部の端部は、略径方向に延在している。上記各柱部の内面は、略内周円錐面の一部からなっている。上記複数の柱部は、小径環状部の周方向に互いに間隔をおいて配置されている。上記周方向に隣接する二つの柱部の周方向の間は、円錐ころを収容するポケットになっている。
【０００５】
上記複数の円錐ころは、外輪の円錐軌道面と、内輪の円錐軌道面との間に、保持器によって保持された状態で、周方向に互いに間隔をおいて配置されている。
【０００６】
従来、上記円錐ころ軸受は、次のように組み立てられている。
【０００７】
先ず、上記ポケットに円錐ころを収容する。このとき、円錐ころの外周円錐面の軸方向の大径側の端面は、上記ポケットの上記大径環状部側に位置する。
【０００８】
次に、かしめによって、上記柱部の上記内面が、内輪の組み付け時において円錐ころと内輪の小鍔とが接触しない程度、保持器の使用時における位置よりも所定距離径方向の外方に位置している状態で、内輪を、上記保持器の径方向に内方に、上記保持器の大径環状部側かつ内輪の軸方向の小鍔側から保持器の軸方向に挿入する。
【０００９】
その後、治具で、保持器をかしめて、保持器の柱部の上記内面を、保持器の使用時における所定の箇所に位置させて、内輪、複数の円錐ころおよび保持器からなる保持器アッセンブリを形成する。
【００１０】
最後に、上記保持器アッセンブリに外輪を組み付けて、円錐ころ軸受の組立を完了する。
【００１１】
従来の円錐ころ軸受では、円錐ころ軸受を組み立てるのに保持器を二度にわたってかしめなければならないから、円錐ころ軸受の組立に要する工数が多くなる。
【００１２】
また、従来の円錐ころ軸受では、円錐ころ軸受の定期点検時において、外輪を保持器アッセンブリから取り外した際、保持器が内輪から脱落して、円錐ころが、ばらけることがある。
【００１３】
また、従来の円錐ころ軸受において、保持器の挙動を安定させて、転動体のスキューを抑制したいという要請がある。
【特許文献１】特開２００１−５０２８１号公報（第１図）
【発明の開示】
【発明が解決しようとする課題】
【００１４】
そこで、本発明の課題は、組立の際に保持器をかしめる必要がなく、かつ、外輪を外した場合において、保持器およびころが、内輪から離脱することがなく、かつ、保持器の挙動を安定させることができて、ころのスキューを抑制できるころ軸受装置を提供することにある。
【課題を解決するための手段】
【００１５】
上記課題を解決するため、この発明のころ軸受装置は、
軌道面およびその軌道面の軸方向の一方の側のみに鍔部を有する内輪と、
軌道面を有する外輪と、
上記内輪の上記軌道面と、上記外輪の上記軌道面との間に配置された複数のころと、
上記複数のころを保持していると共に、上記軸方向において上記内輪の上記軌道面の片側に環状部を有する保持器と、
上記保持器の上記環状部の内周面と、上記内輪の外周面の部分との間に配置された転がり軸受と
を備えることを特徴としている。
【００１６】
本発明によれば、内輪の軌道面の軸方向の一方の側のみに鍔部が存在し、内輪の軌道面の軸方向の他方の側に鍔部が存在しないから、ころ軸受装置の組立の際に、保持器をかしめなくても、内輪を、保持器およびころが一体となった保持器アッセンブリに、内輪において鍔部が存在しない方から軸方向に挿入することができる。したがって、ころ軸受装置を、保持器を一切かしめることなく、従来よりも格段に容易に組み立てできる。
【００１７】
また、本発明によれば、上記転がり軸受の外輪を、上記環状部の内周面に締まり嵌めにより内嵌して固定すると共に、上記転がり軸受の内輪を、上記内輪の上記外周面に締まり嵌めにより外嵌して固定することにより、上記保持器を上記内輪に対して相対移動不可にすることができて、上記保持器を上記内輪に対して位置決めできる。したがって、例えば、円錐ころ軸受装置の外輪１組み付け時において、ころおよび保持器が、内輪から離脱することがなくて、ばらけることがなく、外輪の組み付けを容易に行うことができる。また、例えば、定期点検時において、ころ軸受装置から外輪を取り外した際において、保持器およびころが内輪から離脱してばらけることがなく、定期点検を容易に行うことができる。
【００１８】
また、本発明によれば、保持器が、転がり軸受により案内される構成であるから、保持器の挙動を安定させることができて、転動体のスキューを抑制できる。
【発明の効果】
【００１９】
本発明のころ軸受装置によれば、内輪の軌道面の軸方向の一方の側のみに鍔部が存在し、内輪の軌道面の軸方向の他方の側に鍔部が存在しないから、保持器をかしめなくても、内輪を、保持器およびころが一体となった保持器アッセンブリに、内輪において鍔部が存在しない方から軸方向に挿入することができ、ころ軸受装置を、従来よりも格段に容易に組み立てできる。
【００２０】
また、本発明のころ軸受装置によれば、上記転がり軸受の外輪を、上記環状部の内周面に締まり嵌めにより内嵌して固定すると共に、上記転がり軸受の内輪を、上記内輪の上記外周面に締まり嵌めにより外嵌して固定することにより、上記保持器を上記内輪に対して相対移動不可にすることができて、上記保持器を上記内輪に対して位置決めできる。したがって、外輪の組み付け時や、定期点検時に、ころおよび保持器が、内輪から離脱することがなく、外輪の組み付け時や、定期点検を容易に行うことができる。
【００２１】
また、本発明のころ軸受装置によれば、保持器が、転がり軸受により案内される構成であるから、保持器の挙動を安定させることができて、転動体のスキューを抑制できる。
【発明を実施するための最良の形態】
【００２２】
以下、本発明を図示の形態により詳細に説明する。
【００２３】
図１は、本発明のころ軸受装置の一実施形態の円錐ころ軸受装置の軸方向の模式断面図である。
【００２４】
この円錐ころ軸受装置は、外輪１、内輪２、保持器３、複数の円錐ころ４、および、転がり軸受の一例としての玉軸受６を備える。
【００２５】
上記外輪１は、軌道面としての内周円錐軌道面１１を有する。
【００２６】
一方、上記内輪２は、軌道面としての外周円錐軌道面１２を有する。上記内輪２は、軸方向の一方の側である外周円錐軌道面１２の大径側のみに鍔部１４を有する。上記鍔部１４の外周面１５は、円筒状の形状を有している。
【００２７】
上記保持器３は、小径環状部２１、大径環状部２２、および、複数の柱部（図示せず）を有する。上記小径環状部２１の内径の最大は、大径環状部２２の内径の最小よりも小さくなっている。上記小径環状部２１は、軸方向の外方にいくにしたがって、内輪２の外周円錐軌道面１２に略平行な方向から略径方向の内方に屈曲し、小径環状部２１の軸方向の外方の端部は、略径方向に延在している。
【００２８】
一方、上記大径環状部２２は、軸方向の外方に行くにしたがって、内輪２の外周円錐軌道面１２に略平行な方向から略軸方向に屈曲し、大径環状部２２の軸方向の外方の端部は、略軸方向に延在している。図１に示すように、上記大径環状部２２の上記端部は、略円筒状の形状を有し、その端部は、円筒外周面および円筒内周面２７を有している。
【００２９】
上記各柱部は、小径環状部２１の軸方向の大径環状部２２側の端面と、大径環状部２２の軸方向の小径環状部２１側の端面とを連結している。上記各柱部は、軸方向の断面において、略直線状に延在している。上記複数の柱部は、小径環状部２１の周方向に略等間隔に互いに間隔をおいて配置されている。
【００３０】
上記各円錐ころ４は、上記周方向に隣接する二つの柱部、小径環状部２１、および、大径環状部２２に囲まれた領域であるポケット２４に収容されている。上記小径環状部２１は、円錐ころ４の転動面である外周円錐面の小径側に位置する一方、大径環状部２２は、円錐ころ４の転動面である外周円錐面の大径側に位置している。上記複数の円錐ころ４は、外輪１の内周円錐軌道面１１と、内輪２の外周円錐軌道面１２との間に、保持器３によって保持された状態で、周方向に互いに間隔をおいて配置されている。
【００３１】
上記玉軸受６は、内輪２の鍔部１４の円筒状の外周面１５と、大径環状部２２の上記端部の円筒内周面２７との間に配置されている。上記玉軸受６は、外輪３１、内輪３２および複数の玉３３を有する。上記外輪３１は、大径環状部２２の上記円筒内周面２７に圧入により内嵌されて締まり嵌めされている。上記内輪３２は、鍔部１４の円筒状の外周面１５に圧入により外嵌されて締まり嵌めされている。また、上記複数の玉３３は、外輪３１の軌道溝と、内輪３２の軌道溝との間に、保持器（図示せず）によって保持された状態で、周方向に互いに間隔をおいて配置されている。
【００３２】
例えば、上記円錐ころ軸受装置を、次のように組み立てる。
【００３３】
先ず、保持器３のポケット２４に円錐ころ４を配置する。次に、保持器３の大径環状部２２の内周円筒面２７に、予め組み立てられた玉軸受６を圧入により内嵌して締まり嵌めする。
【００３４】
次に、内輪２を、保持器３の大径環状部２２側かつ内輪２の外周円錐軌道面１２の小径側から軸方向に圧入して、円錐ころ４、保持器３および玉軸受６に組み付ける。
【００３５】
最後に、外輪１を、保持器３の小径環状部２１側かつ外輪１の内周円錐軌道面１１の大径側から軸方向に挿入して、外輪１を、円錐ころ４および保持器３に組み付けて、円錐ころ軸受装置の組み立てを完了する。
【００３６】
また、例えば、上記円錐ころ軸受装置を、次のように組み立てることもできる。
【００３７】
先ず、保持器３のポケット２４に円錐ころ４を配置する。次に、内輪２を、保持器３の大径環状部２２側かつ内輪２の外周円錐軌道面１２の小径側から軸方向に挿入して、円錐ころおよび保持器３に組み付ける。
【００３８】
次に、予め組み立てられた玉軸受６を、保持器３の大径環状部２２の内周円筒面２７と、内輪２の鍔部１４の円筒状の外周面１５との間に、軸方向の外方から軸方向の内方に所定の位置まで圧入して、玉軸受６を、保持器３と内輪２との間に組み付ける。
【００３９】
最後に、外輪１を、保持器３の小径環状部２１側かつ外輪１の内周円錐軌道面１１の大径側から軸方向に挿入して、外輪１を、円錐ころ４および保持器３に組み付けて、円錐ころ軸受装置の組み立てを完了する。
【００４０】
上記実施形態の円錐ころ軸受装置によれば、内輪２の外周円錐軌道面１２の軸方向の大径側のみに鍔部１４が存在し、内輪２の外周円錐軌道面１２の軸方向の他方の側に鍔部が存在しないから、円錐ころ軸受装置の組立の際に、保持器３をかしめなくても、内輪２を、保持器３およびころが一体となった保持器アッセンブリにおける保持器３の大径環状部２２側、かつ、内輪２において鍔部が存在しない側、すなわち、内輪２の外周円錐軌道面１２の小径側から、軸方向に挿入することができる。したがって、ころ軸受装置を、保持器を一切かしめることなく、従来よりも格段に容易に組み立てできる。
【００４１】
また、上記実施形態の円錐ころ軸受装置によれば、保持器３の大径環状部２２の内周円筒面２７と、内輪３の鍔部１４の円筒状の外周面１５との間に、玉軸受６が締め代を持った状態で固定されているから、保持器３が、内輪２に対して殆ど相対移動することがない。したがって、例えば、円錐ころ軸受装置の外輪１組み付け時において、円錐ころ４および保持器３が、内輪２から脱落することがなくて、ばらけることがなく、外輪１の組み付けを容易に行うことができる。また、定期点検時において、円錐ころ受装置から外輪１を取り外した際において、保持器３および円錐ころ４が内輪２から脱落することがなくて、ばらけることがなく、定期点検を容易かつ効率的に行うことができる。
【００４２】
また、上記実施形態の円錐ころ軸受装置によれば、保持器３が、玉軸受６により案内される構成であるから、保持器３の挙動を安定させることができて、円錐ころ４のスキューを抑制できる。
【００４３】
尚、上記実施形態の円錐ころ軸受装置では、保持器３の大径環状部２２の内周円筒面２７と、内輪２の鍔部１４の円筒状の外周面１５との間に、保持器を有する玉軸受６を配置した。ここで、玉軸受６で使用できる保持器としては、二つの環状部材の間を複数の柱部で連結してなる保持器や、所謂冠型保持器がある。
【００４４】
また、上記実施形態の円錐ころ軸受装置では、保持器３の大径環状部２２の内周円筒面２７と、内輪２の鍔部１４の円筒状の外周面１５との間に保持器を有する玉軸受６を配置したが、この発明では、保持器の大径環状部の内周円筒面と、内輪の鍔部の円筒状の外周面との間に、保持器を有さない総玉軸受を配置しても良い。また、この発明では、保持器の大径環状部の内周円筒面と、内輪の鍔部の円筒状の外周面との間に、深溝型の軌道溝を有する玉軸受を配置しても、アンギュラ型の軌道溝を有する玉軸受を配置しても良い。
【００４５】
また、上記実施形態の円錐ころ軸受装置では、保持器３と、内輪２との間に玉軸受６を配置したが、この発明では、保持器と、内輪との間に、ころ軸受、ニードル軸受等、玉軸受以外の如何なる転がり軸受を配置しても良い。尚、保持器と、内輪との間に、玉軸受や、自動調心ころ軸受等の非分離型転がり軸受を配置すると、保持器と内輪との間に配置した転がり軸受の分離を心配しなくて良くて好ましい。
【００４６】
また、上記実施形態の円錐ころ軸受装置では、保持器３において、外輪１の円錐軌道面１１の大径側に位置する保持器３の大径環状部２２と、内輪２の鍔部１４の外周面１５との間に、転がり軸受を配置した。しかしながら、この発明では、鍔部が存在しない側、すなわち、内輪の円錐軌道面の小径側に、円筒外周面を形成して、保持器において、軸方向において内輪の円錐軌道面の小径側に位置する保持器の小径環状部の径方向の内方の端面と、内輪の円錐軌道面の小径側に位置する内輪の上記円筒外周面との間に、転がり軸受を配置しても良い。
【００４７】
また、上記実施形態の円錐ころ軸受では、玉軸受６の内輪３２の軸方向の両側の端面が、他の部材と当接していなかった。しかしながら、この発明では、転がり軸受が配置される内輪の外周面の部分（以下、第１部分という）の外径を、その外周面の部分の軸方向のころ側に位置する外周面の部分（以下、第２部分という）の外径よりも小さくして、転がり軸受の内輪を、第１部分と第２部分とを接続する軸方向の端面に当接させるようにしても良い。このようにすると、転がり軸受の軸方向の位置決めをすることができて、好ましい。
【００４８】
また、上記実施形態では、転動体が、円錐ころ４であったが、この発明では、転動体は、円筒ころや、球面ころ（凸面ころ）等の円錐ころ以外のころであっても良い。
【図面の簡単な説明】
【００４９】
【図１】本発明のころ軸受装置の一実施形態の円錐ころ軸受装置の軸方向の模式断面図である。
【符号の説明】
【００５０】
１  外輪
２  内輪
３  保持器
４  円錐ころ
６  玉軸受
１１  内周円錐軌道面
１２  外周円錐軌道面
１４  鍔部
１５  鍔部の円筒状の外周面
２２  大径環状部
２７  大径環状部の円筒内周面
【図１】
2009191894.tif 000003